(57)【要約】      （修正有）【課題】床面の傷付き、及び脚部のズレを防止した脚部用カバーを提供する。【解決手段】表裏反転可能とする有底袋状のカバー本体１と、カバー本体１の底部２の一側面２Ａ側に設けたクッション性を有する底基材と、底部２の他側面側に設けた第１の滑り止め部１４とを備えたことにより、クッション性の高い底基材を底部２の一側面２Ａ側に配設する事で床面への傷付きを抑える工夫をしている。また、底部２の他側面側には滑り止め加工を施すことにより、傷付きを防止するフラットな床面ではクッション性を有する一側面２Ａを表側にして脚部用カバーを装着して、階段等の脚立等の脚部が滑っては危険なところでは脚部用カバーを裏返して他側面を表側にして装着して脚部の滑りを防止することで安全な作業が出来る。また、カバー本体１が袋状となっているので脚部への着脱が容易となる。【選択図】図１
0003152721.tif 000002
【実用新案登録請求の範囲】
【請求項１】
脚立等の脚部に装着する脚部用カバーにおいて、表裏反転可能とする有底袋状のカバー本体と、前記カバー本体底部の一側面側に設けたクッション性を有する保護部と、前記底部の他側面側に設けた滑り止め部とを備えたことを特徴とする脚部用カバー。
【請求項２】
前記滑り止め部に、前記底部の他側面に連結手段を介して着脱自在に設けた滑り止め部材を備えたことを特徴とする請求項１記載の脚部用カバー。
【請求項３】
前記連結手段を面ファスナーとすることを特徴とする請求項２記載の脚部用カバー。
【請求項４】
前記滑り止め部は、合成樹脂インクで形成されたものとすることを特徴とする請求項１から３のいずれか１項に記載の脚部用カバー。
【請求項５】
前記カバー本体の前記底部から側面部にかけての立ち上がり部分の表面に、クッション性を有する側面側保護部材を備えたことを特徴とする請求項１〜４のいずれか１項に記載の脚部用カバー。
【請求項６】
前記カバー本体の側面部の略全周にわたり配設され、前記カバー本体の開口部を縮径自在とする締付部と、この締付部に対応する前記側面部の内周面に配設された抜け止め部とを備えたことを特徴とする請求項５のいずれか１項に記載の脚部用カバー。
【考案の詳細な説明】
【技術分野】
【０００１】
本考案は、脚立等の脚部に装着する脚部用カバーに関する。
【背景技術】
【０００２】
従来、建築現場で使用される脚立において、近年、貼り上がった床面に脚立を立てて作業する事に対して、床面を保護する事を目的として脚立の脚部に脚部用カバーの装着が求められている。
【０００３】
ここで、脚部用カバーに求められる機能としては、第一に床面を傷つけない事であるが、脚立の性質上、作業者が乗る際に僅かだが脚立がズレることがあり、第二に脚立がズレても床面を傷つける心配が無いもの、もしくは床面を傷つける心配が無いクッション性の高い素材に滑り止め加工が施されているものが渇望されていた。特に現場作業においては階段での作業もあり、ズレることで作業者の危険度も考えられ、安心して作業ができるものは現場作業に大いに貢献できるものと考えられている。
【０００４】
そして従来の脚部用カバーとしては、クッション性の素材を使用し、滑り止めを施した生地が貼り付けてあるもの（特許文献１）、或いはカーペットの端材を利用した簡易的なものなどがある（特許文献２）。
【先行技術文献】
【特許文献】
【０００５】
【特許文献１】特開２００４−７６３２２号公報
【特許文献２】特開２００３−１４８０７２号公報
【考案の概要】
【考案が解決しようとする課題】
【０００６】
しかし、特許文献１の脚部用カバーでは、床面の傷付きを最小限に抑えともに、脚立のズレを防ぐものの、単一な使用方法しか考えられておらず、様々な環境での使用に向かないという問題点があった。
【０００７】
さらに、特許文献２の脚部用カバーでは、両面を使えるが、袋状に閉じていない為、脚立への着脱が繁雑となり、使用に際しては不安があるという問題点があった。
【０００８】
そこで本考案は上記の問題点を解決する、床面の傷付き、及び脚部のズレを防止した脚部用カバーを提供することを課題とする。
【課題を解決するための手段】
【０００９】
請求項１の考案は、脚立等の脚部に装着する脚部用カバーにおいて、表裏反転可能とする有底袋状のカバー本体と、前記カバー本体底部の一側面側に設けたクッション性を有する保護部と、前記底部の他側面側に設けた滑り止め部とを備えたことを特徴とする。
【００１０】
請求項２の考案は、前記滑り止め部に、前記底部の他側面に連結手段を介して着脱自在に設けた滑り止め部材を備えたことを特徴とする。
【００１１】
請求項３の考案は、前記連結手段を面ファスナーとすることを特徴とする。
【００１２】
請求項４の考案は、前記滑り止め部は、合成樹脂インクで形成されたものとすることを特徴とする。
【００１３】
請求項５の考案は、前記カバー本体の前記底部から側面部にかけての立ち上がり部分の表面に、クッション性を有する側面側保護部材を備えたことを特徴とする。
【００１４】
請求項６の考案は、前記カバー本体の側面部の略全周にわたり配設され、前記カバー本体の開口部を縮径自在とする締付部と、この締付部に対応する前記側面部の内周面に配設された抜け止め部とを備えたことを特徴とする。
【考案の効果】
【００１５】
請求項１の考案によれば、クッション性の高い素材を底部の一側面側に取付ける事で床面への傷付きを抑える工夫をしている。また、底部の他側面側には滑り止め加工を施すことにより、傷付けを防止するフラットな床ではクッション性を有する一側面を表側にして脚部用カバーを装着して、階段等の脚立等の脚部が滑っては危険なところでは脚部用カバーを裏返して他側面を表側にして装着して脚部の滑りを防止することで安全な作業が出来る。また、カバー本体が袋状となっているので脚部への着脱が容易となる。
【００１６】
請求項２の考案によれば、床面との摩擦によって磨耗した滑り止め部材を別の滑り止め部材と交換することにより、脚部用カバーの保守を容易にすることができる。
【００１７】
請求項３の考案によれば、一側面側に保護部を備えたことによりクッション性の高い底部に、クッション性を有する面ファスナーを定着させ、滑り止め効果を有する滑り止め部材にもう一方の面ファスナーを定着させる事で、滑り止め効果が必要な場所ではその部材を取り付け、より大きいクッション性が必要な場所では底部に装着された滑り止め部材を外して面ファスナーを表側に露出させる事で、保護部と面ファスナーの両方のクッション効果を最大限に活かすことができるので、床面の傷付きをさらに防止することができる。
【００１８】
請求項４の考案によれば、底部の滑り止め効果に加えて、脚部用カバーのデザイン性の向上を図ることができる。
【００１９】
請求項５の考案によれば、カバー本体の底部から本体カバーの側面部にかけての立ち上がり部分を、クッション性を有する素材で袴状に周囲を覆うことで、万が一に脚立等の脚部が脚部用カバー内部でズレて、脚部の角が立ち上がり部分に当たってしまう場合にも、床面への傷付けを抑えることができる。
【００２０】
請求項６の考案によれば、脚部用カバーを脚部に定着させるために、本体カバーの開口部分の脚部に触れる所に滑り止め素材を取り付ける事によって、脚立を移動する際に脚部用カバーが脱落したりすることを防ぐことができる。
【図面の簡単な説明】
【００２１】
【図１】本考案の実施例１におけるカバー本体の底部及び側面部をそれぞれ一側面を外側とした状態の脚部用カバーを示す正面図である。
【図２】同上、脚部用カバーの平面図である。
【図３】同上、脚部用カバーの底面図である。
【図４】同上、カバー本体の底部及び側面部をそれぞれ他面側を外側とした状態の脚部用カバーを示す正面図である。
【図５】同上、脚部用カバーの底面図である。
【図６】同上、カバー本体から滑り止め部材を外した状態を示す脚部用カバーの分解斜視図である。
【図７】同上、脚部用カバーを脚部に装着した状態を示す断面図である。
【図８】本考案の実施例２におけるカバー本体の底部及び側面部をそれぞれ一側面を外側とした状態の脚部用カバーを示す正面図である。
【図９】同上、脚部用カバーの底面部である。
【図１０】同上、カバー本体の底部及び側面部をそれぞれ他面側を外側とした状態の脚部用カバーを示す正面図である。
【図１１】同上、脚部用カバーの底面図である。
【図１２】同上、脚部用カバーを脚部に装着した状態を示す断面図である。
【図１３】本考案の実施例３におけるカバー本体の底部及び側面部をそれぞれ一側面を外側とした状態の脚部用カバーを示す正面図である。
【図１４】同上、脚部用カバーの底面図である。
【図１５】同上、カバー本体の底部及び側面部をそれぞれ他面側を外側とした状態の脚部用カバーを示す正面図である。
【図１６】同上、脚部用カバーの底面図である。
【考案を実施するための形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
図１乃至図７は、本考案の脚部用カバーの実施例１を示すものであり、１は、上部に開口部９を有する有底筒形状の巾着状の袋体からなるカバー本体１を示している。
【００２４】
カバー本体１の底部２は、発泡ウレタン樹脂等の合成樹脂材料等のクッション性を有する軟質材料から形成された円盤状の底基材３の両面に、摩擦強度に優れた合成樹脂製の織布からなる表皮材４をそれぞれ貼設して構成されている。
【００２５】
カバー本体１の側面部５は、ナイロン等の合成樹脂繊維からなる布製の可撓性シートを筒状に形成した側面部材６の一方の開口縁７を底部２の周縁部８に縫製により固着して構成されている。
【００２６】
ここで本実施例の脚部用カバーは、側面部材６の他方の開口縁によって構成されたカバー本体１の開口部９を介して側面部５の一側面５Ａと他側面５Ｂをそれぞれ露出可能とする表裏反転可能に構成されている。
【００２７】
さらに底部２の一側面２Ａには、底部２とほぼ等しい面積に形成された第１の面ファスナー１０を定着して備えている。この第１の面ファスナー１０と係合自在な第２の面ファスナー１１を一側面１２Ａに定着させ、カバー本体１の底部２とほぼ等しい面積を有し、側面部材６より摩擦係数の大きいエラストマー樹脂材やシリコン樹脂材等の弾性材或いは皮からなる円盤状の第１の滑り止め部材１２を備えている。
【００２８】
ここで、第１の面ファスナー１０と第２の面ファスナー１１によって、底部２の一側面１２Ａに第１の滑り止め部材１２を着脱自在とする連結手段１３が構成されている。さらに、第１の滑り止め部材１２の他側面１２Ｂには、その面全体に微細な凹凸が均一に形成された第１の滑り止め部１４を備えている。
【００２９】
また、側面部５には、一側面５Ａの開口部９側を側面部５の周方向ほぼ全周に亘って覆うように配設され、側面部５の一側面５Ａとの間に側面部５の周方向全周に亘りゴム紐等の紐部材１５を挿通可能に設けた挿通部材１６を備えている。挿通部材１６に挿通された紐部材１５の両端は、挿通部材１６と側面部５との間に設けられた一対の挿通口１７,１７よりそれぞれ引き出された後、操作ボタン１８を介して開口幅を調整可能に設けられた筒状の開口幅調整部材１９にともに挿通され、開口幅調整部材１９から抜け止け落ちないように互いに結び付けて抜け止め部２０を形成している。ここで、紐部材１５は反射材（図示せず）が編み込まれたものである。本考案では、紐部材１５と開口幅調整部材１９によって、締付部２１が構成されている。
【００３０】
さらに、側面部５には、他側面５Ｂの挿通部材１６と対応する箇所に、側面部５の周方向全周に亘り側面部材６より摩擦係数の大きいエラストマー樹脂材やシリコン樹脂材等の弾性材或いは皮からなる帯状の第２の滑り止め部材２２が縫製により固着されている。この第２の滑り止め部材２２の表面には、第１の滑り止め部１４同様にその面全体に均一に形成された微細な凹凸が設けられた第２の滑り止め部２３を備えている。
【００３１】
次に前記構成についてその作用を説明する。最初に本実施例の脚部用カバーの脚立やその他の椅子、机、テーブル、ピアノ等の脚付家具の脚部Ｌへの取付方法について説明する。図７に示すように、紐部材１５の弾性復元力に抗して拡げた開口部９に脚部Ｌを挿通して、脚部用カバーを装着する。この際、脚部Ｌの外周寸法に合わせて、紐部材１５を引いたり戻したりした後、操作ボタン１８を介して開口幅調整部材１９を操作して開口部９の開口幅を調整することにより、締付部２１による脚部Ｌへの締付が完了する。
【００３２】
脚部用カバーは、可撓性を有する筒状の側面部材６によって構成された側面部５を、開口部９を介して表裏反転させることにより、底部２の一側面２Ａ側と他側面２Ｂ側と選択的に露出可能に備えており、底部２が他側面２Ｂ側を外側に露出するようにして脚部用カバーを脚部Ｌに装着することにより、クッション性を有する軟質材料からなる底基材３によりフローリング等の床板の貼り上がった滑らかな床面Ｆを傷付けることを防止する。また、底部２材の表面に摩擦強度に優れた表皮材４を貼設したことにより、作業者が乗る際の脚立のズレによる脚部用カバーと床面Ｆとの摩擦による底部２の磨耗を防ぐことができる。
【００３３】
また、底部２の一側面２Ａ側が外側に露出するようにして脚部用カバーを脚部Ｌに装着することにより、底部２の一側面２Ａに備えた第１の滑り止め部材１２の第１の滑り止め部１４により脚部用カバーと床面Ｆとの摩擦係数を高め、脚部用カバーが装着された脚立等の脚部Ｌが床面Ｆを滑ったりすることを防止して、階段等の危険性の高いところでの高所作業での安全性を向上させる事ができる。ここで、第１の滑り止め部材１２は底部２の一側面２Ａに第１及び第２の面ファスナー１０,１１を介して備えたことにより、この第１及び第２の面ファスナー１０,１１の表面にそれぞれ均一に形成された係止用の微細な爪片による緩衝層が形成されており、この第１及び第２の面ファスナー１０,１１による緩衝層により、脚部Ｌが床面Ｆを傷付けることを防止する効果も有している。そのため、第１の滑り止め部材１２を取り外して第１の面ファスナー１０を外側に向けて露出させた状態でも、この第１の面ファスナー１０に備えた微細な爪片により床面Ｆを傷付けることを防止する。
【００３４】
さらに、第１の滑り止め部材１２を連結手段１３を介して着脱自在に備えたことにより、床面Ｆとの摩擦によって第１の滑り止め部材１２が磨耗した際には、第１の滑り止め部材１２のみを別の第１の滑り止め部材１２と交換すれば良いので、コストの削減を図ることができる。また、連結手段１３を第１及び第２の面ファスナー１０,１１から構成したことにより、第１の滑り止め部材１２の着脱作業を容易にすることができる。
【００３５】
ここで、底部２の一側面２Ａ側が外側に露出するようにして脚部用カバーを脚部Ｌに装着する場合に、側面部５の内側に向けられて配設された第２の滑り止め部２３により、脚部用カバーと脚部Ｌ外周との摩擦係数を高めて、脚部Ｌに装着された脚部用カバーが容易に外れてしまうことを防止する。
【００３６】
以上の本実施例は請求項１に対応しており、脚立等の脚部Ｌに装着する脚部用カバーにおいて、表裏反転可能とする有底袋状のカバー本体１と、カバー本体１の底部２の一側面２Ａ側に設けたクッション性を有する保護部としての底基材３と、前記底部２の他側面２Ｂ側に設けた滑り止め部としての第１の滑り止め部１４とを備えている。
【００３７】
この場合、クッション性の高い底基材３を底部２の一側面２Ａ側に配設する事で床面Ｆへの傷付きを抑える工夫をしている。また、底部２の他側面２Ｂ側には滑り止め加工を施すことにより、傷付けを防止するフラットな床面Ｆではクッション性を有する一側面２Ａを表側にして脚部用カバーを装着して、階段等の脚立等の脚部Ｌが滑っては危険なところでは脚部用カバーを裏返して他側面２Ｂを表側にして装着して脚部Ｌの滑りを防止することで安全な作業が出来る。
【００３８】
また、本実施例は請求項２に対応しており、第１の滑り止め部１４に、底部２の他側面２Ｂに連結手段１３を介して着脱自在に設けた滑り止め部材１２を備えたことにより、床面Ｆとの摩擦によって磨耗した滑り止め部材１２を別の滑り止め部材１２と交換することにより、脚部用カバーの保守を容易にすることができる。
【００３９】
さらに、本実施例は請求項３に対応しており、連結手段１３を面ファスナー１０,１１としたことにより、クッション性の高い底基材３を備えた底部２に、クッション性を有する第１の面ファスナー１０を定着させ、滑り止め効果を有する第１の滑り止め部材１２にもう一方の第２の面ファスナー１１を定着させる事で、滑り止め効果が必要な場所では第１の滑り止め部材１２を取り付け、より大きいクッション性が必要な場所では底部２に装着された滑り止め部材１２を外して第１の面ファスナー１０を表側に露出させる事で、保護部である底基材３と第１の面ファスナー１０の両方のクッション効果を最大限に活かすことができるので、床面Ｆの傷付きをさらに防止することができる。
【００４０】
また、本実施例は請求項６に対応しており、カバー本体１の前記側面部５の略全周にわたり配設され、カバー本体１の開口部９を縮径自在とする締付部２１と、この締付部２１に対応する側面部５の内周面に配設された抜け止め部２０とを備えている。
【００４１】
この場合、脚部用カバーを脚部Ｌに定着させるために、カバー本体１の開口部９の脚部Ｌに触れる所に滑り止め部材２２を取り付ける事によって、脚立を移動する際に脚部用カバーが脱落したりすることを防ぐことができる。
【実施例２】
【００４２】
次に、本考案の実施例２について図８乃至図１２を参照して説明する。実施例２の脚部用カバーは、基本的には、前述した実施例１と同じ構成を有するので、同一の構成には同一の符号を付し、その詳細な説明を省略する。
【００４３】
本実施例の脚部用カバーの底部２は、発泡ウレタン樹脂等の合成樹脂材料等のクッション性を有する軟質材料から形成された略矩形状を有する底基材２４の両面に、摩擦強度に優れた合成樹脂製の織布からなる表皮材２５Ａ,２５Ｂをそれぞれ貼設して、さらにこの表皮材に第１の滑り止め部として滑り止め効果のある合成樹脂又はゴム材料からなるインクによって形成されたアルファベットのような文字や数字或いはロゴ、マーク等記号や模様などの表示部２６Ａ,２６Ｂを有している。
【００４４】
また、カバー本体１における底部２の周縁部８から側面部５の他側面５Ｂの所定高さＨ１にかけての立ち上がり部分２７の外周には、フェルト等の不織布等のクッション性を有する軟質材料からなる側面保護部材２８が袴状に周囲を覆うように縫製によって固着されており、この側面保護部材２８によって立ち上がり部分２７を保護する側面保護部２９が構成されている。
【００４５】
本実施例では、底部２の一側面２Ａ及び他側面２Ｂにそれぞれ形成された滑り止め部である表示部２６Ａ,２６Ｂにより、脚部用カバーと床面Ｆとの摩擦係数を高め、脚部用カバーが装着された脚立等の脚部Ｌが床面Ｆを滑ったりすることを防止して、階段等の危険性の高いところでの高所作業での安全性を向上させる事ができる。
【００４６】
また、滑り止め効果を有する合成樹脂又はゴム材料からなるインクによって形成された表示部２６Ａ,２６Ｂを備えることにより、底部２の滑り止め効果とともに、脚部用カバーのデザイン性の向上を図ることができる。
【００４７】
さらに、カバー本体の立ち上がり部分２７に側面保護部材２８を配設したことにより、脚部用カバーが装着された脚立等の脚部Ｌが、脚部カバー本体１内部でズレてしまったり、或いは脚部Ｌの底部２分の面積が脚部用カバーの底部２の面積より大きな場合において、脚部Ｌの底部分の角がカバー本体１の立ち上がり部分２７に当たってしまっても、この側面保護部材２８によって、脚部Ｌの角によって床面Ｆが傷付くことを防ぐことができるとともに、脚部用カバーの立ち上がり部分２７が床面Ｆとの摩擦による磨耗によって破けることを防止する。
【００４８】
本実施例は請求項４に対応しており、第１の滑り止め部である表示部２６Ａ,２６Ｂが、合成樹脂インクで形成されたことにより、底部２の滑り止め効果に加えて、脚部用カバーのデザイン性の向上を図ることができる。
【００４９】
また、本考案は請求項５に対応しており、カバー本体１の底部２から側面部５にかけての立ち上がり部分２７の表面に、クッション性を有する側面側保護部材２８を備えたことにより、カバー本体１の底部２からカバー本体１の側面部５にかけての立ち上がり部分２７を、クッション性を有する素材で袴状に周囲を覆うことで、万が一に脚立等の脚部Ｌが脚部用カバー内部でズレて、脚部Ｌの角が立ち上がり部分に当たってしまう場合にも、床面Ｆへの傷付けを抑えることができる。
【実施例３】
【００５０】
次に、本考案の実施例３について図１３乃至図１６を参照して説明する。実施例３の脚部用カバーは、基本的には、前述した実施例１又は実施例２と同じ構成を有するので、同一の構成には同一の符号を付し、その詳細な説明を省略する。
【００５１】
本実施例の脚部用カバーの底部２は、略矩形状を有する底基材３０は毛足の長い起毛布等の軟質材料からなる一側面側底部材３１と摩擦強度の大きい合成樹脂製の織布からなる他側面側底基材３２とを張り合わせて一体化したものであり、他側面側底基材３２の表面には第１の滑り止め部として滑り止め効果のある合成樹脂又はゴム材料からなるインクによって形成されたアルファベットのような文字や数字或いはロゴ、マーク等記号や模様などの表示部３３を有している。
【００５２】
また、カバー本体１における底部２の周縁部８から側面部５の他側面５Ｂの所定高さＨ２にかけての立ち上がり部分３４の外周には、フェルト等の不織布等のクッション性を有する軟質材料からなる側面保護部材３５が袴状に周囲を覆うにして縫製によって固着されており、この側面保護部材３５によって立ち上がり部分３４を保護する側面保護部３６が構成されている。
【００５３】
さらに、本考案の締付部３７は、側面部５の開口部９側にゴムバンド等の弾性帯部材３８を縫製によって固着して構成されたものとする。
【００５４】
本実施例では、底部２の他側面２Ｂに形成された表示部３３により、脚部用カバーと床面Ｆとの摩擦係数を高め、脚部用カバーが装着された脚立等の脚部Ｌが床面Ｆを滑ったりすることを防止して、階段等の危険性の高いところでの高所作業での安全性を向上させる事ができる。
【００５５】
また、滑り止め効果を有する合成樹脂又はゴム材料からなるインクによって形成された表示部３３を備えたことにより、底部２における滑り止め効果とともに、デザイン性の向上を図ることができる。
【００５６】
さらに、カバー本体１の立ち上がり部分３４に側面保護部材３５を配設したことにより、脚部用カバーが装着された脚立等の脚部Ｌが、脚部カバー本体１内部でズレてしまったり、或いは脚部Ｌの底面積が脚部用カバーの底部２の面積より大きな場合や脚部Ｌの底の形状と脚部様カバーの底部２の形状が異なる場合において、脚部Ｌの底部２分の角部分がカバー本体１の立ち上がり部分に当たってしまっても、この側面保護部材３５によって、脚部Ｌの角によって床面Ｆが傷付くことを防ぐことができるとともに、脚部用カバーの立ち上がり部分が床面Ｆとの摩擦による磨耗によって破けることを防止する。
【００５７】
本実施例は請求項４に対応しており、滑り止め部としての表示部３３が、合成樹脂インクで形成されたことにより、底部２の滑り止め効果に加えて、脚部用カバーのデザイン性の向上を図ることができる。
【００５８】
また、本考案は請求項５に対応しており、カバー本体１の底部２から側面部５にかけての立ち上がり部分３４の表面に、クッション性を有する側面側保護部材３５を備えたことにより、カバー本体１の底部２からカバー本体１の側面部５にかけての立ち上がり部分３４を、クッション性を有する側面側保護部材３５で袴状に周囲を覆うことで、万が一に脚立等の脚部Ｌが脚部用カバー内部でズレて、脚部Ｌの角が立ち上がり部分３４に当たってしまう場合にも、床面Ｆへの傷付けを抑えることができる。
【００５９】
以上、本考案の脚部用カバーについて前記各実施例を参照して説明してきたが、本考案は前記実施例に限られるものではなく、本考案の思想の範囲内で様々な変形実施が可能である。例えば、実施例１の底基材３、実施例２の底基材２４、実施例３の一側面側底基材３１を構成する軟質材料についても、床面Ｆを傷付けない素材であれば、羊毛、綿、フェルト、ネル布、不織布、タオル地等としても構わないものとする。
【符号の説明】
【００６０】
１    カバー本体
２    底部
５    側面部
９    他方の開口縁（開口部）
１０  第１の面ファスナー
１１  第２の面ファスナー
１２  滑り止め部材
１４  第１の滑り止め部
２１  締付部
２３  第２の滑り止め部
２６Ａ  表示部（滑り止め部）
２６Ｂ  表示部（滑り止め部）
２７  立ち上がり部分
２８  側面保護部材
３３  表示部（滑り止め部）
３４  立ち上がり部分
３５  側面保護部材
３７  締付部
Ｌ  脚部
【図１】
0003152721.tif 000003
【図２】
0003152721.tif 000004
【図３】
0003152721.tif 000005
【図４】
0003152721.tif 000006
【図５】
0003152721.tif 000007
【図６】
0003152721.tif 000008
【図７】
0003152721.tif 000009
【図８】
0003152721.tif 000010
【図９】
0003152721.tif 000011
【図１０】
0003152721.tif 000012
【図１１】
0003152721.tif 000013
【図１２】
0003152721.tif 000014
【図１３】
0003152721.tif 000015
【図１４】
0003152721.tif 000016
【図１５】
0003152721.tif 000017
【図１６】
0003152721.tif 000018
【手続補正書】
【提出日】平成21年6月4日(2009.6.4)
【手続補正１】
【補正対象書類名】実用新案登録請求の範囲
【補正対象項目名】請求項１
【補正方法】変更
【補正の内容】
【請求項１】
脚立等の脚部に装着する脚部用カバーにおいて、表裏反転可能とする有底袋状のカバー本体と、前記カバー本体の底部の一側面側に設けたクッション性を有する保護部と、前記底部の他側面側に設けた滑り止め部とを備えたことを特徴とする脚部用カバー。
【手続補正２】
【補正対象書類名】実用新案登録請求の範囲
【補正対象項目名】請求項６
【補正方法】変更
【補正の内容】
【請求項６】
前記カバー本体の側面部の略全周にわたり配設され、前記カバー本体の開口部を縮径自在とする締付部と、この締付部に対応する前記側面部の内周面に配設された抜け止め部とを備えたことを特徴とする請求項１〜５のいずれか１項に記載の脚部用カバー。
【手続補正３】
【補正対象書類名】明細書
【補正対象項目名】０００９
【補正方法】変更
【補正の内容】
【０００９】
請求項１の考案は、脚立等の脚部に装着する脚部用カバーにおいて、表裏反転可能とする有底袋状のカバー本体と、前記カバー本体の底部の一側面側に設けたクッション性を有する保護部と、前記底部の他側面側に設けた滑り止め部とを備えたことを特徴とする。